(57)【要約】      （修正有）【課題】花弁を芯材に対して固着させやすくして容易に製造できるようにするとともに、花弁の芯材に対する取り付け強度の向上を図った装飾体を提供する。【解決手段】可撓性の木材シートを切断して形成された複数の花弁１と、複数の花弁１の基端部１ａが固着される芯材１０とを備え、花弁１を、着色するとともに波状に形成し、芯材１０を、芯部１１及び芯部１１に複数設けられる鱗片１２を有した松笠１０ａで構成し、花弁１の基端部１ａを松笠１０ａの鱗片１２の間隙１３に差し込んで接着して花に模して形成した。【選択図】図１
0003164208.tif 000002
【実用新案登録請求の範囲】
【請求項１】
可撓性の木材シートを切断して形成された複数の花弁と、該複数の花弁の基端部が固着される芯材とを備え、花に模して形成される装飾体において、
上記芯材を、芯部及び該芯部に複数設けられる鱗片を有した松笠で構成し、
上記花弁の基端部を上記松笠の鱗片の間隙に差し込んで接着したことを特徴とする装飾体。
【請求項２】
上記花弁を着色したことを特徴とする請求項１記載の装飾体。
【請求項３】
上記花弁を波状に形成したことを特徴とする請求項１または２記載の装飾体。
【請求項４】
上記松笠の先端部を表側中央に露出させたことを特徴とする請求項１乃至３何れかに記載の装飾体。
【考案の詳細な説明】
【技術分野】
【０００１】
本考案は、花に模して形成され、例えば、造花，ブローチや髪飾り等のアクセサリー等に使用可能な装飾体に関する。
【背景技術】
【０００２】
従来、この種の装飾体としては、例えば、特許文献１（特開２００５−８９９６２号公報）に記載されたものが知られている。
図５に示すように、この装飾体Ｓａは、木材としてのヒノキを所定厚さにスライスした可撓性の木材シートを切断して形成された複数の花弁１００と、複数の花弁１００の基端部１０１が固着される芯材１０２とを備えて花に模して形成されている。
【０００３】
芯材１０２は、木材シートを縦方向に切断して糸状に形成した小片１０３を束ねて、その根元をワイヤー１０４で縛ることにより形成されている。
花弁１００は、木材シートを湿潤状態にして切断して形成されており、その基端部１０１が芯材１０２に巻きつけられて芯材１０２の根元側で紐１０５等により芯材１０２に結ばれている。
【先行技術文献】
【特許文献】
【０００４】
【特許文献１】特開２００５−８９９６２号公報
【考案の概要】
【考案が解決しようとする課題】
【０００５】
しかしながら、この従来の装飾体Ｓａにおいては、芯材１０２が木材シートを糸状にした小片１０３で形成されているので、その根元をワイヤー１０４で縛ったとしても強度が低く、そのため、花弁１００の基端部１０１を芯材１０２に固着させにくく、それだけ、製造しにくいという問題があった。また、花弁１００の芯材１０２に対する固着が不安定なので、花弁１００が芯材１０２から取れやすいという問題もある。
【０００６】
本考案は、このような問題点に鑑みてなされたもので、花弁を芯材に対して固着させやすくして容易に製造できるようにするとともに、花弁の芯材に対する取り付け強度の向上を図った装飾体を提供することを目的とする。
【課題を解決するための手段】
【０００７】
このような目的を達成するため、本考案の装飾体は、可撓性の木材シートを切断して形成された複数の花弁と、該複数の花弁の基端部が固着される芯材とを備え、花に模して形成される装飾体において、上記芯材を、芯部及び該芯部に複数設けられる鱗片を有した松笠で構成し、上記花弁の基端部を上記松笠の鱗片の間隙に差し込んで接着した構成としている。
【０００８】
これにより、本装飾体を作成するときは、花弁を、木材シートを適宜の形に切断して作成し、芯材を、松笠を鱗片が開いた状態になるまで乾燥させて作成する。そして、花弁の基端部を松笠の鱗片の間隙に差し込んで、例えば、接着剤等で花弁の基端部を松笠の鱗片に接着させ、花に模して形成することにより行なう。
【０００９】
この場合、芯材は松笠を乾燥させたものであるので、芯材の強度を比較的高くすることができる。また、花弁の基端部を松笠の鱗片の間隙に差し込んで接着するだけで、花弁を芯材に対して固着することができるので、容易に製造することができる。更に、花弁の芯材に対する固着が安定するので、花弁の芯材に対する取り付け強度を向上させることができ、それだけ、花弁が芯材から取れにくくなる。
【００１０】
このように作成された装飾体は、花を模して形成されているので、例えば、そのまま造花として使用することができ、また、ピンやクリップ等を設けて、ブローチや髪飾り等のアクセサリーとしても使用することができる。この場合、芯材が松笠で構成されているので、花弁の間から鱗片で形成される松笠の鱗状部分が見え、あるいは松笠の鱗片が花びらのように見え、そのため、デザイン的におもしろく形成することができ、外観品質を向上させることができる。
【００１１】
そして、必要に応じ、上記花弁を着色した構成としている。
これにより、装飾体を、様々な色の花弁を用いて作成することができ、また、異なる色の花弁を組み合わせて作成することができるので、それだけ、外観品質を向上させることができる。また、松笠に着色することもできる。
【００１２】
また、必要に応じ、上記花弁を波状に形成した構成としている。
これにより、花弁に動きをつけることができるので、より一層花に見えるようになり、それだけ、外観品質を向上させることができる。
【００１３】
更に、必要に応じ、上記松笠の先端部を表側中央に露出させた構成としている。
松笠の先端部を雄しべや雌しべのある種子部として表出することができ、それだけ、花に近い形にすることができる。この場合、松笠の先端部に着色することができる。
【考案の効果】
【００１４】
本考案の装飾体によれば、木材シートを切断して作成した花弁の基端部を、松笠を鱗片が開いた状態になるまで乾燥させて作成した芯材の鱗片の間隙に差し込んで、例えば、接着剤等で花弁の基端部を松笠の鱗片に接着させ、花に模して形成すると、芯材は松笠を乾燥させたものなので、芯材の強度を比較的高くすることができ、また、花弁の基端部を松笠の鱗片の間隙に差し込んで接着するだけで、花弁を芯材に対して固着することができるので、容易に製造することができる。また、花弁の芯材に対する固着が安定するので、花弁の芯材に対する取り付け強度を向上させることができ、それだけ、花弁が芯材から取れにくくすることができる。更に、芯材が松笠で構成されているので、花弁の間から鱗片で形成される松笠の鱗状部分が見え、あるいは松笠の鱗片が花びらのように見え、そのため、デザイン的におもしろく形成することができ、外観品質を向上させることができる。
【図面の簡単な説明】
【００１５】
【図１】本考案の実施の形態に係る装飾体を示し、（ａ）は平面図、（ｂ）は正面視断面図である。
【図２】本考案の実施の形態に係る花弁の製造工程を示す図である。
【図３】本考案の実施の形態に係る芯材としての松笠を鱗片が開いた状態で示し、（ａ）は斜視図、（ｂ）は正面視断面図である。
【図４】本考案の実施の形態に係る円板を装飾体に取り付けた状態で示す斜視図である。
【図５】従来の装飾体の一例を示す図である。
【考案を実施するための形態】
【００１６】
以下、添付図面に基づいて本考案の実施の形態に係る装飾体を説明する。
図１乃至図４には、本考案の実施の形態に係る装飾体Ｓを示している。本装飾体Ｓは、可撓性の木材シート３を切断して形成された複数の花弁１と、複数の花弁１の基端部１ａが固着される芯材１０とを備えて花に模して形成されている。以下に、作成方法の一例を示す。
【００１７】
花弁１は、図２に示すように、先ず、木材２としての南部赤松を所定厚さにスライスして可撓性の木材シート３を形成する。例えば、経木としても用いることができる厚さにスライスする。次に、この木材シート３に、例えば、紫色や橙色、白色や黄色等の適宜の色を着色し、それから、この着色された木材シート３を適宜の形に切断し、最後に、この切断した木材シート３を、例えば、電気コテ等を用いて加熱して熱によって波状に変形させることにより作成する。この花弁１は、大きさ、色、波形状がそれぞれ数種類ずつ作成される。
【００１８】
芯材１０は、図３に示すように、芯部１１及び芯部１１に複数設けられる鱗片１２を有した松笠１０ａを用い、この松笠１０ａを乾燥させて、鱗片１２が開いて上下に隣接する鱗片１２の間に間隙１３が形成されるようにする。
【００１９】
このように作成された花弁１及び芯材１０を、芯材１０に花弁１を固着させて装飾体Ｓを作成する。詳しくは、複数の花弁１の基端部１ａ夫々に接着剤４を塗布し、この複数の花弁１の基端部１ａを、芯材１０としての松笠１０ａの鱗片１２の間隙１３に互いの位相をずらして差し込み、花弁１の基端部１ａと鱗片１２とを接着剤４によって接着して固着する。このとき、松笠１０ａの先端部１４側の間隙１３に差し込む花弁１の大きさよりも松笠１０ａの根元部１５側の間隙１３に差し込む花弁１の大きさを大きいものとし、花弁１と芯材１０とで花を模すように形成する。この場合、松笠１０ａの先端部１４を表側中央に露出させ、雄しべや雌しべのある種子部１６として表出している。この場合、松笠１０ａの先端部１４に着色することができる。
【００２０】
従って、本発明の装飾体Ｓによれば、芯材１０は松笠１０ａを乾燥させたものであるので、芯材１０の強度を比較的高くすることができる。また、花弁１の基端部１ａを松笠１０ａの鱗片１２の間隙１３に差し込んで接着するだけで、花弁１を芯材１０に対して固着することができるので、容易に製造することができる。更に、花弁１の芯材１０に対する固着が安定するので、花弁１の芯材１０に対する取り付け強度を向上させることができ、それだけ、花弁１が芯材１０から取れにくくなる。
【００２１】
また、花弁１を着色しているので、装飾体Ｓを様々な色の花弁１を用いて作成することができ、また、異なる色の花弁１を組み合わせて作成することができるので、それだけ、外観品質を向上させることができる。
【００２２】
更に、花弁１を加熱して波状に形成したので、花弁１に動きをつけることができ、そのため、より一層花に見えるようになり、それだけ、外観品質を向上させることができる。また、松笠１０ａの先端部１４を表側中央に露出させ、雄しべや雌しべのある種子部１６として表出させたので、花に近い形にすることができる。この場合、芯材１０が松笠１０ａで構成されているので、花弁１の間から鱗片１２で形成される松笠１０ａの鱗状部分が見え、あるいは松笠１０ａの鱗片１２が花びらのように見え、そのため、デザイン的におもしろく形成することができ、外観品質を向上させることができる。
【００２３】
また、本発明の装飾体Ｓは、花を模して形成されているので、例えば、そのまま造花として使用することができ、また、ブローチや髪飾り等のアクセサリーとしても使用することができる。この場合、松笠１０ａの根元部１５側に金属製の円板２０を取り付け、この円板２０の松笠１０ａが取り付けられていない側の面に、ブローチとして使用する際に用いられる安全ピン２１、髪飾りとして使用する際に用いられるヘアクリップ２２等を設ければ良い。これによって、安全ピン２１やヘアクリップ２２等が取り付けやすくなり、多種多様な用途に用いることができる。
【００２４】
尚、上記実施の形態において、花弁１を木材シート３のみで構成したが、必ずしもこれに限定されるものではなく、他の材料、例えば、紙，繭を切断したもの，プラスチックシート，金属シート等で形成した花弁を併用しても良い。
また、上記実施の形態において、木材シート３を南部赤松で形成したが、必ずしもこれに限定されるものではなく、木材であれば良く、適宜変更して差支えない。
更に、本発明は上述した造花，ブローチや髪飾り等のアクセサリーの他、例えば、リース，照明器具の飾り等、どのような用途に利用しても良いことは勿論である。
【符号の説明】
【００２５】
Ｓ  装飾体
１  花弁
１ａ  基端部
２  木材
３  木材シート
４  接着剤
１０  芯材
１０ａ  松笠
１１  芯部
１２  鱗片
１３  間隙
１４  先端部
１５  根元部
２０  円板
２１  安全ピン
２２  ヘアクリップ
【図１】
0003164208.tif 000003
【図２】
0003164208.tif 000004
【図３】
0003164208.tif 000005
【図４】
0003164208.tif 000006
【図５】
0003164208.tif 000007